(57)【要約】【課題】アレイ基板上にＡＣＦによってＬＳＩを取り付ける場合であっても、容易にその接続状態を検査することができる液晶表示装置を提供する。【解決手段】ＬＳＩ２０の下面から２個の検査用バンプ４０が突出し、検査用バンプ４０に対応するアレイ基板１４上に検査端子３４がそれぞれ形成され、前記２個の検査用バンプ４２の間が検査配線４４によって接続されているものである。そして、検査端子３４の間の抵抗値を測定することによりＬＳＩ２０の接続状態を検査することができる。【選択図】      図３
2008241917.tif 000002
【特許請求の範囲】
【請求項１】
アレイ基板上にＬＳＩをＡＣＦによって取り付けた液晶表示装置において、
前記ＬＳＩの下面から２個の検査用バンプが突出し、
前記検査用バンプに対応する前記アレイ基板上に検査端子がそれぞれ形成され、
前記２個の検査用バンプの間が検査配線によって接続されている、
液晶表示装置。
【請求項２】
前記検査配線が、前記ＬＳＩの下面に形成されている、
請求項１記載の液晶表示装置。
【請求項３】
前記検査配線が、前記ＬＳＩの内部に形成されている、
請求項１記載の液晶表示装置。
【請求項４】
前記２個の検査バンプを一組として、前記１組の検査バンプがＬＳＩの下面の両端にそれぞれ形成されている、
請求項１記載の液晶表示装置。
【発明の詳細な説明】
【技術分野】
【０００１】
本発明は、アレイ基板上にＬＳＩをＡＣＦ（異方性導電膜）によって取り付けた液晶表示装置に関するものである。
【背景技術】
【０００２】
液晶表示装置は、駆動ドライバを内蔵したＬＳＩをアレイ基板上にＡＣＦによって取り付けている。ＡＣＦをＬＳＩを介して加圧及び加熱することにより、ＬＳＩのバンプとアレイ基板上の配線パターンの端子とが物理的、かつ、電気的に接続する。
【０００３】
上記のＡＣＦによる接続状態を確認するために、アレイ基板（ガラス基板）の裏面から顕微鏡を用いて端子間に補足されたＡＣＦの導電粒子数とＬＳＩの圧着状態を人の目によって確認すると共に、また、通常の検査による液晶表示装置の表示画像の確認によって行っていた。
【０００４】
一方、基板同士をＡＣＦによって固定した場合の検査方法としては、特許文献１に示すように、それぞれの基板に電気的接続評価を行うことができる検査パターンを設け、この測定用パターンにプローバーを接触させて抵抗値を検出して、検査を行う方法が提案されている。
【特許文献１】特開２００４−９５８７２公報
【発明の開示】
【発明が解決しようとする課題】
【０００５】
上記のような液晶表示装置の検査方法は、顕微鏡によって観察する必要があるため、個人差があり、また、その作業が煩雑であるという問題点がある。
【０００６】
また、特許文献１の検査方法は、ＡＣＦによって結合するものが基板同士であるため検査配線パターンを形成することは可能である。しかし、液晶表示装置においてはアレイ基板上にＬＳＩをＡＣＦによって固定するため、基板上に設けるような配線パターンを設けることは困難であるという問題点がある。
【０００７】
そこで、本発明は上記問題点に鑑み、アレイ基板上にＡＣＦによってＬＳＩを取り付ける場合であっても、容易にその接続状態を検査することができる液晶表示装置を提供する。
【課題を解決するための手段】
【０００８】
本発明は、アレイ基板上にＬＳＩをＡＣＦによって取り付けた液晶表示装置において、前記ＬＳＩの下面から２個の検査用バンプが突出し、前記検査用バンプに対応する前記アレイ基板上に検査端子がそれぞれ形成され、前記２個の検査用バンプの間が検査配線によって接続されている、液晶表示装置である。
【発明の効果】
【０００９】
本発明によれば、検査バンプがＬＳＩにある検査配線によって接続されているため、ＡＣＦによってアレイ基板上に固定された場合に、アレイ基板上にある検査端子間の抵抗値を測定すれば、その接続状態を容易に確認することができる。
【発明を実施するための最良の形態】
【００１０】
以下、本発明の一実施形態の液晶表示装置１０について図１〜図４に基づいて説明する。
【００１１】
（１）液晶表示装置１０の構成
図１は、本実施形態の液晶表示装置１０の斜視図である。
【００１２】
この液晶表示装置１０は、携帯電話に搭載されるものであって、２〜３インチの大きさのものである。液晶表示装置１０の液晶パネル１２は液晶層を挟んでアレイ基板１４と対向基板１６とが配置され、アレイ基板１４の大きさが対向基板１６よりも大きく、棚部１８が形成されている。
【００１３】
このアレイ基板１４の棚部１８に、液晶表示装置１０の駆動ドライバが内蔵されたＬＳＩ２０がＡＣＦ２２によって固定される。
【００１４】
棚部１８には、アレイ基板１４の各画素から延びている引き出し線２４が複数本配線され、その先端部に第１端子２６が設けられている。
【００１５】
また、棚部１８の端部から内方に向かって、接続線２８が設けられ、両端部にそれぞれ第２端子２９，第３端子３０が形成されている。この接続線２８の外側の複数の第３端子３０には、携帯電話の本体にある主制御部のコントロールＩＣと接続するためのフレキシブル配線基板が接続される。
【００１６】
この各引き出し線２４の第１端子２６と接続線２８の第２端子２９とは、互いに相対向するように平行に配列されている。この引き出し線２４の第１端子２６と接続線２８の第２端子２９の両側にはそれぞれ２個の第１検査端子３４，３４が設けられ、各検査端子３４から検査配線パターン３６が延び、この検査配線パターン３６の端部には第２検査端子３８が形成されている。
【００１７】
ＬＳＩ２０には、各第１端子２６，各第２端子３０に対応するように複数の信号用のバンプ４０が形成されている。図４に示すように、ＬＳＩ２０の両端部にはそれぞれ２個の検査バンプ４２，４２が設けられている。ＬＳＩ２０の下面の４つの角部にはそれぞれ位置決めバンプ４６が設けられている。そして、この検査バンプ４２，４２の間であって、ＬＳＩ２０の下面には両検査バンプ４２，４２を電気的に接続するための検査配線が形成されている。
【００１８】
（２）固定方法
上記構成の液晶表示装置１０において、アレイ基板１４の棚部１８にＬＳＩ２０を固定する場合について説明する。
【００１９】
まず、シート状のＡＣＦ２２を棚部１８の所定の位置に配置し、その上からＬＳＩ２０を配置し、ＬＳＩ２０を上方から加圧すると共に、所定の温度で加熱する。
【００２０】
ＡＣＦ２２は、内部に導電粒子を有すると共に熱可塑性樹脂によって形成されているため、加熱及び加圧によりＬＳＩ２０とアレイ基板１４を物理的、かつ、電気的に固定する。この場合に、確実に固定されると、バンプ４０と第１端子２６，第２端子２９とが電気的に接続される。
【００２１】
（３）検査方法
上記のようにして固定されたＬＳＩ２０の電気的接続状態を確認する検査方法について説明する。
【００２２】
図４に示すように一対の第２検査端子３８，３８にプローバーをそれぞれ接続させ、第２検査端子３８，３８の間の抵抗値を測定する。この場合に、ＬＳＩ２０の接続が確実に行われていれば、第２検査端子３８、検査配線パターン３６、第１検査端子３４、検査バンプ４２、検査配線４４を介して電気が流れ、所定の抵抗値となる。一方、接続が行われていない場合にはこの抵抗値が大きくなり、接続が不十分であることを示す。
【００２３】
（４）効果
上記のように、本実施形態の液晶表示装置１０であると、第２検査端子３８，３８の間の抵抗値を測定するだけで、ＬＳＩ２０がアレイ基板１４に確実に接続されているか否かを判断することができる。
【００２４】
また、第１検査端子３４，３４は、ＬＳＩ２０の左側と右側にそれぞれ設けられているため、両側で簡単にその取付け状態を検査することができる。
【００２５】
さらに、この検査のための検査配線４４は、ＬＳＩ２０の下面に形成するだけであるため、簡単に形成することができる。
【００２６】
（変更例）
本発明は上記各実施形態に限らず、その主旨を逸脱しない限り種々に変更することができる。
【００２７】
（１）変更例１
上記実施形態では、検査配線４４をＬＳＩ２０の下面に形成したが、これに代えて、ＬＳＩ２０の内部に設けてもよい。
【００２８】
（２）変更例２
上記実施形態では、ＬＳＩ２０の両端部にそれぞれ１組の検査バンプ４２，４２を設けたが、これに加えて中央部に検査バンプ４２を設けてもよい。そして、第１検査端子３４もそれに対応する中央部に設け、検査パターン３６で外方に引き出す構造であってもよい。
【００２９】
すなわち、この検査バンプ４２は、信号用のバンプ４０の空いた位置に設ければよい。
【図面の簡単な説明】
【００３０】
【図１】本発明の一実施形態を示す液晶表示装置の斜視図である。
【図２】アレイ基板上にＬＳＩを取り付けようとしている状態の縦断面図である。
【図３】アレイ基板上にＬＳＩを取り付けた状態の縦断面図である。
【図４】アレイ基板の一部拡大平面図である。
【符号の説明】
【００３１】
１０  液晶表示装置
１２  液晶バネル
１４  アレイ基板
１８  棚部
２０  ＬＳＩ
２２  ＡＣＦ
２４  引き出し線
２６  第１端子
２８  接続線
２９  第２端子
３０  第３端子
３２  フレキシブル基板
３４  第１検査端子
３６  検査パターン
３８  第２検査端子
４０  バンプ
４２  検査バンプ
４４  検査配線
【図１】
2008241917.tif 000003
【図２】
2008241917.tif 000004
【図３】
2008241917.tif 000005
【図４】
2008241917.tif 000006